(57)【要約】【課題】植字構造による立体装飾を可能にしつつ、文字板の反りを抑えることが可能な時計用文字板およびこの時計用文字板を備えた時計を提供する。【解決手段】板状の基材１１に外観装飾を施す装飾部材１２を貼り付け、この装飾部材１２上で所定の表示を行う表示部材５０を配置してなる時計用文字板１０において、表示部材５０に足部５２、５２を設け、この足部５２、５２を文字板１０の基材１１だけに固定し、基材１１に積層される装飾部材１２には、様々な温度環境下でも表示部材５０の足部５２との接触を回避する隙間Ｔ１、Ｔ２を有する貫通孔１２Ａ、１２Ａを形成した。【選択図】図５
2008249450.tif 000002
【特許請求の範囲】
【請求項１】
板状の基材に外観装飾を施す装飾部材を貼り付け、この装飾部材上で所定の表示を行う表示部材を配置してなる時計用文字板において、
前記表示部材に足部を設け、前記足部を、前記基材或いは前記装飾部材の一方の部材だけに固定し、他方の部材には、当該部材に対して、前記基材と前記装飾部材との温度変化量の差によって相対移動する前記足部、或いは、前記足部が固定された一方の部材との接触を回避する開口部を設けたことを特徴とする時計用文字板。
【請求項２】
板状の基材に外観装飾を施す装飾部材を貼り付け、この装飾部材上で所定の表示を行う表示部材を配置してなる時計用文字板において、
前記表示部材に足部を設け、前記基材および前記装飾部材には、前記足部が差し込まれる開口部を形成し、前記基材の開口部と前記装飾部材の開口部との開口径を異ならせたことを特徴とする時計用文字板。
【請求項３】
請求項１又は２に記載の時計用文字板において、
前記基材及び前記装飾部材のうちの一方の開口部を、前記足部と略同径の開口部とし、他方の開口部を、当該時計用文字板の半径方向に延びる長孔形状の開口部としたことを特徴とする時計用文字板。
【請求項４】
請求項１乃至３のいずれか一項に記載の時計用文字板において、
前記表示部材の足部を、前記装飾部材の開口部を通して前記基材に固定した際、前記表示部材は、前記装飾部材の前記開口部を覆うことを特徴とする時計用文字板。
【請求項５】
請求項１乃至４のいずれか一項に記載の時計用文字板において、
前記表示部材を前記装飾部材の上面から浮かして固定したことを特徴とする時計用文字板。
【請求項６】
請求項４に記載の時計用文字板において、
前記基材或いは前記装飾部材は、前記装飾部材或いは前記基材に形成された前記開口部内に隙間を空けて突出する突出部を有し、
前記表示部材の足部は、前記突出部に固定されることを特徴とする時計用文字板。
【請求項７】
請求項１乃至６のいずれか一項に記載の時計用文字板において、
前記表示部材の足部は、前記基材および前記装飾部材のうち、熱膨張係数が小さい部材に固定されることを特徴とする時計用文字板。
【請求項８】
請求項１乃至７のいずれか一項に記載の時計用文字板において、
前記表示部材の足部は、前記基材或いは前記装飾部材のいずれか一方に、カシメ固定若しくは接着固定又はカシメ固定と接着固定の両方によって固定されることを特徴とする時計用文字板。
【請求項９】
請求項１乃至８のいずれか一項に記載の時計用文字板において、
前記基材は、プラスチック樹脂で形成され、前記装飾部材は、貝、セラミック、貴石、サファイヤ、カーボン繊維織物、ガラス繊維織物の少なくともいずれかを含んで形成されることを特徴とする時計用文字板。
【請求項１０】
請求項１乃至９のいずれか一項に記載の時計用文字板において、
前記基材と前記装飾部材との間には、前記基材と前記装飾部材とを温度変化量の差を吸収可能に接着する接着層が設けられることを特徴とする時計用文字板。
【請求項１１】
板状の基材に外観装飾を施す装飾部材を貼り付け、この装飾部材上で所定の表示を行う表示部材を配置してなる時計用文字板を備えた時計において、
前記表示部材に足部を設け、前記足部を、前記基材或いは前記装飾部材の一方の部材だけに固定し、他方の部材には、当該部材に対して、前記基材と前記装飾部材との温度変化量の差によって相対移動する前記足部、或いは、前記足部が固定された一方の部材との接触を回避する開口部を設けたことを特徴とする時計。
【請求項１２】
板状の基材に外観装飾を施す装飾部材を貼り付け、この装飾部材上で所定の表示を行う表示部材を配置してなる時計用文字板を備えた時計において、
前記表示部材に足部を設け、前記基材および前記装飾部材には、前記足部が差し込まれる開口部を形成し、前記基材の開口部と前記装飾部材の開口部との開口径を異ならせたことを特徴とする時計。
【請求項１３】
請求項１１又は１２に記載の時計において、
前記時計用文字板を構成する前記基材および装飾部材が光透過性を有し、
前記時計は、前記時計用文字板の裏側にソーラーセルを配置したソーラー発電式時計として構成されることを特徴とする時計。
【発明の詳細な説明】
【技術分野】
【０００１】
本発明は、板状の基材に外観装飾を施す装飾部材を貼り付け、この装飾部材上で所定の表示を行う表示部材を配置してなる時計用文字板、および、この時計用文字板を備える時計に関する。
【背景技術】
【０００２】
現在主流のソーラー発電式時計は、文字板の裏側にソーラーセルを配置した構成であるため、文字板が光を透過する材料で構成されると共に、ソーラーセルの存在が使用者に視認できにくいように外観装飾を付与したものがある。
文字板として実用化されている材料としては、ガラス、セラミック、プラスチック樹脂が挙げられる。これら材料に機械加工、樹脂を塗布、金属めっきを行ったり、装飾部品を積層したり、装飾部品をインサート成形したりするなどの装飾を行って文字板が構成されている。
この種の文字板材料の中でも、成形や加工の製造のしやすさや、落下衝撃で割れないなどの理由から透明又は半透明のプラスチック樹脂（ポリカーボネート）が多く用いられており、装飾部品には、天然貝、貴石、カーボン繊維などが用いられている（例えば、特許文献１〜３参照）。
【特許文献１】特開平９−１８９７７５号公報
【特許文献２】特開２０００−２９２５５６号公報
【特許文献３】特開２００１−２９６３７３号公報
【発明の開示】
【発明が解決しようとする課題】
【０００３】
ところで、従来の構成では、時字、マークなどの表示部材は、下面と文字板とを接着剤で固定するか、印刷を行って構成されていた。その結果、表示部材を接着固定するタイプでは固着力確保のため、立体感（体積の大きい＝高さや幅がある）のある表示部材を採用できないという課題があった。印刷タイプも同様に厚みのある装飾ができなかった。
このため、プラスチック樹脂の基材に接着剤を介して装飾部材（貝、セラミック、貴石、サファイヤ、ガラス、カーボン繊維、ガラス繊維など）を貼り合わせ、金属基材の文字板で使用されている植字の足を積層文字板の穴に差し込んで固定することによって構成された積層文字板を作成した。
【０００４】
そして、温度環境試験を行ったところ、低温環境下において文字板中心が時針側に顕著に反りあがることが確認された。これは、植字が存在しない場合には、熱膨張率や熱収縮率が互いに異なるプラスチック樹脂基材と装飾部材とがそれぞれ平面方向に沿って伸び縮みするのに対し、植字が存在する場合は、プラスチック樹脂基材と装飾部材とが異なる熱膨張率／熱収縮率で伸び縮みすることによって植字が傾いて文字板を反らせてしまうことや、或いは、プラスチック樹脂基材と装飾部材との平面方向に沿った伸びや縮みを植字が規制してしまうことが一因と考えられる。
【０００５】
例えば、基材をポリカーボネート製（厚みが０．３５ｍｍ）とし、装飾部材を黄銅製（厚みが０．１５ｍｍ）とした場合、ポリカーボーネートの線膨張係数が０．００００７[ｃｍ／ｃｍ／℃]、黄銅の線膨張係数が０．００００１８[ｃｍ／ｃｍ／℃]であるため、文字板直径が３ｃｍでその中心から１ｃｍの場所に植字が貫通固定されると、気温が２０℃からマイナス１０℃に変化した場合、植字の位置で半径方向の縮み量に約０．０１ｍｍの差が生じ、この差による相対ずれを植字が規制することから、文字板中心が約２．９μｍ盛り（反り）上がってしまう。
文字板の反りが顕著になった場合には、文字板（表示部材を含む）と時刻表示針とが接触してしまい、運針ミスによる時刻ずれが生じるおそれがあるため、文字板の反り対策が必要になる。
【０００６】
本発明は、上述した事情に鑑みてなされたものであり、植字構造による立体装飾を可能にしつつ、文字板の反りを抑えることが可能な時計用文字板およびこの時計用文字板を備えた時計を提供することを目的としている。
【課題を解決するための手段】
【０００７】
上記課題を解決するため、本発明は、板状の基材に外観装飾を施す装飾部材を貼り付け、この装飾部材上で所定の表示を行う表示部材を配置してなる時計用文字板において、前記表示部材に足部を設け、前記足部を、前記基材或いは前記装飾部材の一方の部材だけに固定し、他方の部材には、当該部材に対して、前記基材と前記装飾部材との温度変化量の差によって相対移動する前記足部、或いは、前記足部が固定された一方の部材との接触を回避する開口部を設けたことを特徴とする。
この発明によれば、表示部材に足部を設け、この足部を、基材或いは装飾部材の一方の部材だけに固定し、他方の部材には、当該部材に対して、基材と装飾部材との温度変化量の差によって相対移動する足部、或いは、足部が固定された一方の部材との接触を回避する開口部を設けたので、植字構造による立体装飾を可能にしつつ、文字板の反りを抑えることができる。
【０００８】
また、本発明は、板状の基材に外観装飾を施す装飾部材を貼り付け、この装飾部材上で所定の表示を行う表示部材を配置してなる時計用文字板において、前記表示部材に足部を設け、前記基材および前記装飾部材には、前記足部が差し込まれる開口部を形成し、前記基材の開口部と前記装飾部材の開口部との開口径を異ならせたことを特徴とする。この発明によれば、表示部材に足部を設け、基材および装飾部材には、足部が差し込まれる開口部を形成し、基材の開口部と装飾部材の開口部との開口径を異ならせたので、植字構造による立体装飾を可能にしつつ、文字板の反りを抑えることができる。
また、上記構成において、前記基材及び前記装飾部材のうちの一方の開口部を、前記足部と略同径の開口部とし、他方の開口部を、当該時計用文字板の半径方向に延びる長孔形状の開口部にすることが好ましい。この構成によれば、他方の開口部を時計用文字板の半径方向に延びる長孔形状の開口部にしたので、温度変化時に最も伸び縮みの量が大きくなる文字板の半径方向への変化に合わせて、表示部材の足部との接触を確実に回避することができる。
【０００９】
上記構成において、前記表示部材の足部を、前記装飾部材の開口部を通して前記基材に固定した際、前記表示部材は、前記装飾部材の前記開口部を覆うことが好ましい。この構成によれば、表示部材によって装飾部材の開口部を外部から視認されないようにすることができる。
また、上記構成において、前記表示部材を前記装飾部材の上面から浮かして固定してもよい。この構成によれば、装飾部材の上面が凹凸形状であっても表示部材をしっかり固定することができ、また、表示部材が若干傾いたとしても文字板を反りにくくすることができる。
【００１０】
また、上記構成において、前記基材或いは前記装飾部材は、前記装飾部材或いは前記基材に形成された前記開口部内に隙間を空けて突出する突出部を有し、前記表示部材の足部は、前記突出部に固定されることが好ましい。この構成によれば、表示部材の足部が基材或いは装飾部材に設けられた突出部に固定されるので、表示部材の保持力を向上させることができ、より立体感を有する表示部材を取り付けることが可能になる。
また、上記構成において、前記表示部材の足部は、前記基材および前記装飾部材のうち、熱膨張係数が小さい部材に固定されることが好ましい。この構成によれば、文字板の温度変化による表示部材の移動量を少なくすることができ、文字板の外観変化を抑えることができる。
【００１１】
また、上記構成において、前記表示部材の足部は、前記基材或いは前記装飾部材のいずれか一方に、カシメ固定若しくは接着固定又はカシメ固定と接着固定の両方によって固定されることが好ましい。この構成によれば、表示部材を容易に固定することができる。
また、上記構成において、前記基材は、プラスチック樹脂で形成され、前記装飾部材は、貝、セラミック、貴石、サファイヤ、カーボン繊維織物、ガラス繊維織物の少なくともいずれかを含んで形成されることが好ましい。この構成によれば、文字板の光透過性を十分に確保可能で、製造が容易で、かつ、落下に強い文字板を実現することができる。
【００１２】
また、上記構成において、前記基材と前記装飾部材との間には、前記基材と前記装飾部材とを温度変化量の差を吸収可能に接着する接着層が設けられることが好ましい。この構成によれば、接着層が基材と装飾部材とを温度変化量の差を吸収するので、文字板を反りにくくすることができる。
【００１３】
また、本発明は、板状の基材に外観装飾を施す装飾部材を貼り付け、この装飾部材上で所定の表示を行う表示部材を配置してなる時計用文字板を備えた時計において、前記表示部材に足部を設け、前記足部を、前記基材或いは前記装飾部材の一方の部材だけに固定し、他方の部材には、当該部材に対して、前記基材と前記装飾部材との温度変化量の差によって相対移動する前記足部、或いは、前記足部が固定された一方の部材との接触を回避する開口部を設けたことを特徴とする。
この発明によれば、表示部材に足部を設け、この足部を、基材或いは装飾部材の一方の部材だけに固定し、他方の部材には、当該部材に対して、基材と装飾部材との温度変化量の差によって相対移動する足部、或いは、足部が固定された一方の部材との接触を回避する開口部を設けたので、植字構造による立体装飾を可能にしつつ、文字板の反りを抑えることができる。
【００１４】
また、本発明は、板状の基材に外観装飾を施す装飾部材を貼り付け、この装飾部材上で所定の表示を行う表示部材を配置してなる時計用文字板を備えた時計において、
前記表示部材に足部を設け、前記基材および前記装飾部材には、前記足部が差し込まれる開口部を形成し、前記基材の開口部と前記装飾部材の開口部との開口径を異ならせたことを特徴とする。この発明によれば、表示部材に足部を設け、基材および装飾部材には、足部が差し込まれる開口部を形成し、基材の開口部と装飾部材の開口部との開口径を異ならせたので、植字構造による立体装飾を可能にしつつ、文字板の反りを抑えることができる。
上記構成において、前記時計用文字板を構成する前記基材および装飾部材が光透過性を有し、前記時計は、前記時計用文字板の裏側にソーラーセルを配置したソーラー発電式時計として構成することが好ましい。この構成によれば、植字構造による立体装飾を可能にしつつ、文字板の反りを抑えることが可能なソーラー発電式時計を実現することが可能になる。
【発明の効果】
【００１５】
本発明は、表示部材に足部を設け、この足部を、基材或いは装飾部材の一方の部材だけに固定し、他方の部材には、当該部材に対して、基材と装飾部材との温度変化量の差によって相対移動する足部、或いは、足部が固定された一方の部材との接触を回避する開口部を設けたので、植字構造による立体装飾を可能にしつつ、文字板の反りを抑えることが可能になる。
【発明を実施するための最良の形態】
【００１６】
以下、図面を参照して本発明の一実施形態について説明する。
＜第１実施形態＞
図１は、本発明の実施形態に係る腕時計型のソーラー発電式電波時計（以下、腕時計という）の外観を示す図であり、図２は図１のＩＩ−ＩＩ断面（１２時−６時断面）を示す図である。
この腕時計１は、時計ケース２と、この時計ケース２に連結された一対のバンド（帯状体）３とを備え、時計ケース２の３時位置には竜頭４が設けられ、４時位置には押下式の操作ボタン５が設けられている。この時計ケース２は、ステンレス、チタンなどの金属材またはプラスチックなどの樹脂材で形成されており、図２に示すように、カバーガラス９が固定されるガラス縁２Ａと、略円筒状の胴２Ｂと、裏蓋６が固定される裏蓋縁部材２Ｃとからなる３ピース構造で構成されている。
【００１７】
この時計ケース２では、カバーガラス９とガラス縁２Ａとの間、および、上記裏蓋６と裏蓋縁部材２Ｃとの間に環状のプラスチックパッキン７、７が各々配置されると共に、時計ケース２の縁２Ａと胴２Ｂとの間、および、胴２Ｂと裏蓋縁部材２Ｃとの間に環状のパッキン８、８が各々配置され、これらパッキン７、７、８、８により各部材間の隙間を塞ぎ、かかる隙間から水や粉塵などが時計ケース２内に侵入するのを防止している。
【００１８】
この時計ケース２の内部には、時計表側から順に、光透過性を有する文字板１０、ソーラーセル（太陽電池）２０およびムーブメント３０が積層配置され、これらは中枠３９によって時計ケース２のガラス縁２Ａに押さえつけられた状態で支持されている。
ソーラーセル２０は、文字板１０を通過した太陽光や照明光を受光して発電し、発電電力をムーブメント３０に供給することにより、ムーブメント３０に取り付けられた二次電池（不図示）を充電させるものである。
【００１９】
ムーブメント３０は、このムーブメント３０内の秒車、２番車および筒車から延びる軸３１、３２、３３を有し、各軸３１〜３３は、ソーラーセル２０を貫通して文字板１０上に延び、これら軸３１〜３２の先端には秒針３５、分針３６および時針３７からなる３つの時刻表示針が各々連結される。
このムーブメント３０は、水晶振動子を時間調速に用いて駆動モータにより上記時刻表示針３５〜３７を回転駆動するクォーツ式のムーブメントである。より具体的には、このムーブメント３０は、図示は省略するが、上記時刻表示針３５〜３７を駆動するための輪列機構と、駆動モータおよび計時回路と、これら時刻表示針３５〜３７の位置を検出する針位置検出回路と、長波標準電波（日本ＪＪＹ：４０ｋＨｚ／６０ｋＨｚ、アメリカＷＷＶＢ：６０ｋＨｚ、ドイツＤＣＦ７７：７７．５ｋＨｚ）を受信するアンテナなどの受信回路と、二次電池の充電や二次電池の蓄電電力を各部に供給する電源回路と、この腕時計１全体を制御する制御回路とを備えている。
【００２０】
制御回路は、大別すると、計時回路から出力されるパルス信号に基づいて駆動モータを駆動して時刻表示針３５〜３７を回転駆動する駆動処理と、受信回路により長波標準電波を受信して受信結果から復号したタイムコードに基づき、時刻表示針３５〜３７による表示時刻を修正する時刻修正処理とを行って正確な時刻を表示させることができる。
【００２１】
文字板１０には、０時（１２時）、３時、６時および９時位置にインデックス（アワーマークとも呼ばれる）として機能する表示部材５０がそれぞれ配置されている。なお、これら表示部材５０は、逆三角形型、台形型、バー型、円型、アラビック型やローマ数字などの数字（時字）、ブランドロゴなどを表すマークなどの様々な形状を適用可能であり、その数や位置は任意に変更してもよい。
【００２２】
図３は文字板１０の断面を模式的に示した図であり、図４は文字板１０の一部を上面から見た図である。図３に示すように、この文字板１０は、透明又は半透明の板状の基材１１と、この基材１１に外観装飾を施す装飾部材１２とを積層した積層文字板であり、装飾部材１２上に表示部材５０が配置される。
基材１１は、ポリカーボネート樹脂（ＰＣ）、ＡＢＳ樹脂、アクリル樹脂などのプラスチック樹脂で形成されている。プラスチック樹脂は、光透過性を十分に確保可能で、かつ、成型性、加工性および落下衝撃性に優れる素材であるため、製造が容易で、かつ、落下に強い文字板１０を実現することができる。
【００２３】
装飾部材１２は、基材１１との間に設けられた接着剤の層（以下、接着層という）１３を介して基材１１に貼り付けられている。この接着層１３は、弾性や柔軟性を有する接着剤が使用されることにより、基材１１と装飾部材１２とを、各部材１１、１２の温度変化量（熱膨張率／熱収縮率）の差を吸収可能に接着する接着層を構成している。なお、図３では、接着層１３を基材１１全面に形成した場合を図示しているが、これに限らず、基材１１の外周部分のみといったように一部に形成してもよい。
装飾部材１２は、文字板１０を装飾可能な様々な材料を適用できるが、本実施形態では文字板１０裏側にソーラーセル２０が配置されることから、文字板１０に光透過性が要求される。このため、装飾部材１２には、例えば、貝（白蝶貝など）、セラミック（透光性セラミック）、貴石、サファイヤ、カーボン繊維織物、ガラス繊維織物などの光透過性を有する素材が適用される。
【００２４】
表示部材５０は、金属材料などで形成され、図３および図４に示すように、表示本体５１と、この表示本体５１から下方に延出する１本又は複数本（本例では２本）の足部５２、５２とを一体に有し、この足部５２、５２が装飾部材１２に形成された貫通孔（開口部）１２Ａ、１２Ａを通って基材１１に固定される。
詳述すると、装飾部材１２には、図５に示すように、表示部材５０の足部５２、５２より大径の貫通孔１２Ａ、１２Ａが形成され、この貫通孔１２Ａ、１２Ａは、表示部材５０の足部５２、５２毎に設けられている。
【００２５】
また、基材１１には、表示部材５０の位置に合わせて、表示部材５０の足部５２、５２と略同径の貫通孔（開口部）１１Ａ、１１Ａが足部５２、５２毎に設けられている。この装飾部材１２および基材１１の各貫通孔１２Ａ、１２Ａ、１１Ａ、１１Ａは、同軸位置に形成されている。このため、基材１１に装飾部材１２を接着後に穴加工機にセッティングし、加工穴径が異なる２種類のドリルを使用することによって、容易に上記貫通孔１２Ａ、１２Ａ、１１Ａ、１１Ａを形成することができる。また、この方法に代えて、基材１１と装飾部材１２とに予め貫通孔１２Ａ、１２Ａ、１１Ａ、１１Ａを形成しておき、これらを貼り合わせてもよい。この場合、基材１１と装飾部材１２との接着に精度が要求されるため、基材１１と装飾部材１２とに互いに係合する係合構造を設けたり、目印を設けることが好ましい。
【００２６】
そして、表示部材５０の足部５２、５２を装飾部材１２の貫通孔１２Ａ、１２Ａを通して基材１１の貫通孔１１Ａ、１１Ａに挿入し、図５に示すように、足部５２、５２の先端部をカシメることによって、表示部材５０が基材１１に固定される。この場合、表示部材５０の表示本体５１が装飾部材１２の貫通孔１２Ａ、１２Ａを覆い、貫通孔１２Ａ、１２Ａが外部から視認されないようにしている。
【００２７】
ところで、この文字板１０は、基材１１と装飾部材１２とを積層した積層文字板であるため、各部材１１、１２の熱膨張係数の差によって温度変化に対して各部材１１、１２が伸び縮みする変化量、つまり、温度変化量（熱膨張量／熱収縮量）が異なる。このため、文字板１０が置かれた環境温度によっては、装飾部材１２と表示部材５０の足部５２、５２との間の隙間Ｔ１、Ｔ２が狭くなり、装飾部材１２が足部５２、５２に当たってしまうと、表示部材５０が傾いて文字板１０を反らせてしまうおそれや、表示部材５０が装飾部材１２又は基材１１の平面方向に沿った延びや縮みを規制して文字板１０を反らせてしまうおそれがあった。
そこで、本実施形態では、装飾部材１２の貫通孔１２Ａ、１２Ａを、基材１１と装飾部材１２との温度変化量の差によって相対移動する足部５２、５２との接触を回避する開口形状にし、低温から高温の温度範囲のいずれにあっても、所定の隙間Ｔ１、Ｔ２を確保し、装飾部材１２が表示部材５０の足部５２、５２に接触する事態を確実に回避している。
【００２８】
このため、腕時計１が様々な温度環境下（特に高温環境下や低温環境下）に置かれた場合、基材１１と装飾部材１２のそれぞれに各熱膨張係数に応じた温度変化（熱膨張又は熱収縮）として、特に大きな変化としては平面方向に沿った伸び縮みが生じるが、表示部材５０は、当該表示部材５０が固定された基材１１と一体的に移動して装飾部材１２に当たることがない。つまり、装飾部材１２の平面方向に沿った伸び縮みが表示部材５０の足部５２、５２によって規制されることがないので、文字板１０の反りを回避することが可能になる。
なお、装飾部材１２の貫通孔１２Ａ、１２Ａは、少なくとも、この腕時計１の使用温度範囲（例えば、−１０℃から＋６０℃の範囲）で、表示部材５０の足部５２が接触しない隙間Ｔ１、Ｔ２を有する開口形状に形成することが好ましい。
【００２９】
以上説明したように、本実施形態では、表示部材５０に足部５２、５２を設け、この足部５２、５２を文字板１０の基材１１に固定したので、文字板１０の基材１１をプラスチック樹脂にして光透過性や軽量化や低コスト化などを図りながらも、金属文字板で採用していた立体感を具備する植字装飾と同様の装飾が可能になる。したがって、高級感を持たせた立体装飾が可能で、かつ、そのデザインバリエーションの幅を拡げることが可能になる。
しかも、本構成では、表示部材５０の足部５２、５２を文字板１０の基材１１だけに固定し、基材１１に積層される装飾部材１２には、様々な温度環境下でも表示部材５０の足部５２との接触を回避する貫通孔１２Ａ、１２Ａを形成したので、文字板１０の反りを抑えることができる。したがって、文字板１０の反りによる運針ミスや時刻ずれを防止することができる。
【００３０】
また、この種の積層文字板に金属文字板で採用していた植字装飾を適用した場合、植字の足部が積層文字板の各部材との間に殆ど隙間なく固定されているため、基材１１と装飾部材１２との温度変化量の差による相対ずれによって足部が途中で曲げられてしまい、植字の浮き上がりや脱落が生じてしまうおそれがあるが、本構成では、表示部材５０の足部５２、５２が途中で曲げられることがなく、表示部材５０の浮き上がりや脱落を防止することも可能である。
したがって、本構成では、積層文字板である文字板１０であっても、植字構造による立体装飾を可能にしつつ、この文字板１０の反りを抑えることができる。
【００３１】
＜第２実施形態＞
図６および図７は第２実施形態を示す。この実施形態では、表示部材５０の足部５２、５２を、装飾部材１２だけに固定した積層文字板を示す。なお、本実施形態および以下に述べる各実施形態において、第１実施形態と略同様の構成については同一の符号を付して示し、詳細な説明は省略する。
装飾部材１２には、表示部材５０の足部５２、５２と略同径の貫通孔１２Ａ、１２Ａが形成され、文字板１０の基材１１には、文字板１０の半径方向に延びる長孔形状であって、表示部材５０の足部５２、５２より大型の貫通孔１１Ａが形成される。そして、表示部材５０は、その足部５２、５２を、装飾部材１２の貫通孔１２Ａ、１２Ａに通して基材１１の貫通孔１１Ａ内に突出させ、この貫通孔１１Ａ内に接着剤７０を流し込むことによって、表示部材５０が装飾部材１２だけに固定される。
【００３２】
基材１１の貫通孔１１Ａは、基材１１と装飾部材１２との温度変化量の差によって相対移動する足部５２、５２との接触を回避する開口形状であって、かつ、表示部材５０の表示本体５１で覆われる開口形状に形成され、本構成では、文字板１０の半径方向に延びる長孔形状に形成されている。
このため、この貫通孔１１Ａは、表示部材５０を装飾部材１２に固定した際に、表示部材５０で覆われて外部から視認不能になる。また、この大型の貫通孔１１Ａによって接着剤７０を流し込むスペースを十分に確保することができ、表示部材５０の固定作業或いは脱着作業を容易に行うことが可能になる。なお、接着固定する方法に限らず、カシメにより表示部材５０を固定するようにしてもよく、また、接着とカシメの両方によって表示部材５０を固定するようにしてもよい。
【００３３】
この構成によれば、表示部材５０に足部５２、５２を設け、この足部５２、５２を文字板１０の装飾部材１２に固定したので、第１実施形態と同様に、文字板１０の基材１１をプラスチック樹脂にして光透過性や軽量化や低コスト化などを図りながらも、金属文字板で採用していた立体感を具備する植字装飾と同様の装飾が可能となり、高級感を持たせた立体装飾が可能で、かつ、そのデザインバリエーションの幅を拡げることが可能になる。
また、表示部材５０の足部５２、５２を装飾部材１２だけに固定し、装飾部材１２に積層される基材１１には、文字板１０の半径方向に延びる長孔形状の貫通孔１１Ａを形成したので、温度変化時に最も伸び縮みの量が大きくなる文字板１０の半径方向への変化に合わせて、表示部材５０の足部５２、５２との接触を確実に回避することができる。従って、第１実施形態と同様に、様々な温度環境下でも文字板１０の反りを抑えることができ、文字板１０の反りによる運針ミスや時刻ずれを防止することができ、かつ、表示部材５０の浮き上がりや脱落も防止することが可能である。
【００３４】
この第２実施形態の構成は、表示部材５０の足部５２、５２を装飾部材１２に固定するため、装飾部材１２に剛性が高く、かつ、装飾部材１２の熱膨張係数が、表示部材５０の熱膨張係数よりも小さい場合に好適な構成である。
すなわち、文字板１０を構成する基材１１および装飾部材１２のうち、熱膨張係数が小さい方が基材１１の場合に第１実施形態の構成を適用し、熱膨張係数が小さい方が装飾部材１２の場合に第２実施形態の構成を適用することにより、文字板１０が熱変形した際の表示部材５０の移動量を最小限にすることが可能になる。これによって、文字板１０の外観変化を効率よく抑えることが可能になる。
【００３５】
＜第３実施形態＞
図８は第３実施形態を示す。この実施形態では、基材１１に、装飾部材１２の貫通孔１２Ａ内に突出する突出部１１Ｘを設け、この突出部１１Ｘだけに表示部材５０の足部５２、５２を固定した積層文字板を示す。
本構成では、装飾部材１２の貫通孔１２Ａは、文字板１０の半径方向に延びる長孔形状の貫通孔に形成され、より具体的には、突出部１１Ｘとの間に隙間Ｔ３、Ｔ４を有し、この隙間Ｔ３、Ｔ４により、基材１１と装飾部材１２との温度変化量の差によって相対移動する基材１１の突出部１１Ｘとの接触を回避する長孔形状に形成されている。さらに、この貫通孔１２Ａは、突出部１１Ｘに表示部材５０が固定された際に、表示部材５０の表示本体５１で覆われる開口形状に形成されている。
【００３６】
この構成によれば、表示部材５０の足部５２、５２を、基材１１の突出部１１Ｘに固定し、装飾部材１２には、文字板１０の半径方向に延びる長孔形状の貫通孔１２Ａを形成したので、温度変化時に最も伸び縮みの量が大きくなる文字板１０の半径方向への変化に合わせて、表示部材５０の足部５２、５２との接触を確実に回避することができる。従って、第１実施形態と同様に、植字構造による立体装飾を可能にしつつ、様々な温度環境下でも文字板１０の反りを抑えることができるなどの各種効果を奏することができる。
さらに、本構成では、基材１１に、装飾部材１２の貫通孔１２Ａ内に突出する突出部１１Ｘを設け、この突出部１１Ｘに表示部材５０の足部５２、５２を固定しているので、第１実施形態に比して、足部５２、５２の保持長さＬ１をより長く確保することができる。したがって、第１実施形態に比して、表示部材５０の保持力を向上させることができ、より立体感を有する表示部材５０を取付可能な文字板１０を提供することが可能になる。
【００３７】
＜第４実施形態＞
図９は第４実施形態を示す。この実施形態では、装飾部材１２に、基材１１の貫通孔１１Ａ内に突出する突出部１２Ｘを設け、この突出部１２Ｘだけに表示部材５０の足部５２、５２を固定した積層文字板を開示する。
本構成では、基材１１の貫通孔１１Ａは、文字板１０の半径方向に延びる長孔形状の貫通孔に形成され、より具体的には、突出部１２Ｘとの間に隙間Ｔ３、Ｔ４を有し、この隙間Ｔ３、Ｔ４により、基材１１と装飾部材１２との温度変化量の差によって相対移動する装飾部材１２の突出部１２Ｘとの接触を回避する開口形状に形成されている。また、この貫通孔１１Ａは、突出部１２Ｘに表示部材５０が固定された際に、表示部材５０の表示本体５１で覆われる開口形状に形成されている。
【００３８】
この構成によれば、表示部材５０の足部５２、５２を、装飾部材１２の突出部１２Ｘに固定し、基材１１には、様々な温度環境下でも表示部材５０の足部５２が固定された突出部１２Ｘ（装飾部材１２）との接触を回避する長孔形状の貫通孔１１Ａを形成したので、植字構造による立体装飾を可能にしつつ、この文字板１０の反りを抑えることが可能であるなどの上記第２実施形態と同様の効果を奏する。
さらに、本構成では、装飾部材１２に、基材１１の貫通孔１１Ａ内に突出する突出部１２Ｘを設け、この突出部１２Ｘに表示部材５０の足部５２、５２を固定しているので、第２実施形態に比して、足部５２、５２の保持長さＬ２をより長く確保することができる。したがって、第２実施形態に比して、表示部材５０の保持力を向上させることができ、より立体感を有する表示部材５０を取付可能な文字板１０を提供することが可能になる。
【００３９】
＜第５実施形態＞
図１０および図１１は第５実施形態を示す。この実施形態では、表示部材５０を、装飾部材１２の上面から浮かして固定した積層文字板を開示する。
本構成では、表示部材５０に、表示本体５１の下方に表示本体５１より小型の中間足部５５を設け、この中間足部５５の下方に足部５２、５２を一体的に形成している。
また、文字板１０の基材１１には、表示部材５０の足部５２、５２が挿通される足部５２、５２と略同径の貫通孔１１Ａ、１１Ａが設けられ、装飾部材１２には、文字板１０の半径方向に延びる長孔形状に形成され、表示部材５０の中間足部５５の外形より大きく、かつ、表示部材５０の表示本体５１の外形より小さい貫通孔１２Ａが形成される。
そして、表示部材５０の足部５２、５２を、基材１１の貫通孔１１Ａ、１１Ａに通して表示部材５０の中間足部５５を基材１１に当接させ、その状態で、足部５２、５２先端をカシメることによって、表示部材５０が基材１１に固定される。この場合、中間足部５５の高さＨ１は、図１０に示すように、表示部材５０の表示本体５１と装飾部材１２の上面との間に隙間Ｈ２が確保される寸法に形成されており、これにより、表示部材５０が、装飾部材１２の上面から予め定めた隙間Ｈ２だけ浮いた状態で固定される。
【００４０】
本構成では、図１０および図１１に示すように、装飾部材１２の上面が凹凸形状であり、この装飾部材１２の上面に表示部材を接着する方法では固定力を十分確保できない文字板１０である。
このような文字板１０において、本構成では、表示部材５０に、基材１１に当接する中間足部５５を設け、この中間足部５５に設けた足部５２、５２を基材１１に固定すると共に、この中間足部５５によって、表示部材５０の表示本体５１を装飾部材１２の上面から浮かせて保持するので、装飾部材１２の上面が凹凸形状であっても表示部材５０をしっかり固定することが可能になる。
【００４１】
また、本構成では、装飾部材１２の貫通孔１２Ａが、表示部材５０の中間足部５５の外形より大きく形成され、より具体的には、中間足部５５との間の隙間Ｔ３、Ｔ４により、様々な温度環境下でも表示部材５０の中間足部５５との接触を回避する長孔形状の開口形状に形成されている。このため、植字構造による立体装飾を可能にしつつ、この文字板１０の反りを抑えることが可能であるなどの上記実施形態と同様の各種効果を奏する。
さらに、表示部材５０を、装飾部材１２の上面から浮かして固定しているので、仮に温度変化により装飾部材１２が表示部材５０に当接して表示部材５０が若干傾いたとしても文字板１０を反りにくくすることができる。さらには、温度変化時に装飾部材１２の上面によって表示部材５０が移動規制されてしまうことを防止できるため、表示部材５０の固定力の低減を防止することができる。
【００４２】
以上、本発明の一実施形態について説明したが、本発明は、これに限定されるものでない。例えば、上述の実施形態では、装飾部材１２の上面が凹凸形状の場合に、表示部材５０を、装飾部材１２の上面から浮かして固定する場合について説明したが、これに限らず、例えば、図１２に示すように、装飾部材１２の上面が平坦面の場合でも、表示部材５０を、装飾部材１２の上面から浮かして固定してもよい。この図１２に示す例では、基材１１に設けた突出部１１Ｘを、装飾部材１２の貫通孔１２Ａより上方に距離Ｈ２（隙間Ｈ２）だけ突出させ、この突出部１１Ｘに表示部材５０の下面を当接させて固定している。この構成によれば、表示部材５０の表示本体５１と装飾部材１２の上面との間に隙間Ｈ２が確保されるので、仮に温度変化により装飾部材１２が表示部材５０に当接して表示部材５０が若干傾いたとしても文字板１０を反りにくくすることができる。さらには、温度変化時に装飾部材１２の上面によって表示部材５０が移動規制されてしまうことを防止できるため、表示部材５０の固定力の低減を防止することができる。
【００４３】
また、上述の実施形態では、文字板１０の裏側にソーラーセル２０を配置したソーラー発電式腕時計に本発明を適用する場合について説明したが、これに限らず、文字板１０の裏側にエレクトロルミネッセンス板などの文字板照明装置を配置した腕時計にも適用できる。
また、本発明は、積層文字板に広く適用することができ、光透過性を有する文字板以外にも広く適用可能であり、基材１１にプラスチック樹脂以外を適用してもよい。また、本発明は、腕時計用の文字板に限らず、懐中時計などの他の携帯型の時計や、置き時計などの固定型の時計の文字板に広く適用が可能である。
【図面の簡単な説明】
【００４４】
【図１】本発明の実施形態に係る腕時計の外観を示す図である。
【図２】図１のＩＩ−ＩＩ断面を示す図である。
【図３】第１実施形態の文字板の断面を模式的に示す図である。
【図４】文字板の一部上面図である。
【図５】文字板の表示部材周辺を示す断面図である。
【図６】第２実施形態の文字板の表示部材周辺を示す断面図である。
【図７】文字板の一部上面図である。
【図８】第３実施形態の文字板の表示部材周辺を示す断面図である。
【図９】第４実施形態の文字板の表示部材周辺を示す断面図である。
【図１０】第５実施形態の文字板の表示部材周辺を示す断面図である。
【図１１】文字板の一部上面図である。
【図１２】変形例に係る文字板の表示部材周辺を示す断面図である。
【符号の説明】
【００４５】
１…腕時計（ソーラー発電式時計）、２…時計ケース、３…バンド、１０…文字板、１１…基材、１１Ａ、１２Ａ…貫通孔（開口部）、１１Ｘ、１２Ｘ…突出部、１２…装飾部材、１３…接着層、３０…ムーブメント、３５、３６、３７…表示指針、５０…表示部材、５１…表示本体、５２…足部、５５…中間足部、７０…接着剤。
【図１】
2008249450.tif 000003
【図２】
2008249450.tif 000004
【図３】
2008249450.tif 000005
【図４】
2008249450.tif 000006
【図５】
2008249450.tif 000007
【図６】
2008249450.tif 000008
【図７】
2008249450.tif 000009
【図８】
2008249450.tif 000010
【図９】
2008249450.tif 000011
【図１０】
2008249450.tif 000012
【図１１】
2008249450.tif 000013
【図１２】
2008249450.tif 000014